(57)【要約】【課題】ＬＥＤの先端レンズ部分を所望の方向に配向させることが可能なテレビジョン用センサ基板およびＬＥＤ取付構造の提供を目的とする。【解決手段】センサ基板５０にＬＥＤ２４を取り付ける際、電流制限抵抗である抵抗５０ｂ、５０ｃを、ＬＥＤ２４の先端レンズ部分２４ａの外径以下の間隔を空けてオフセットして配置する。そして先端レンズ部分２４ａを抵抗５０ｂ、５０ｃの間に配置することにより、ＬＥＤ２４を所定位置に所定方向を向かせて配置する。【選択図】図４
2008112860.tif 000002
【特許請求の範囲】
【請求項１】
テレビジョンの状態表示用ＬＥＤの発光方向が、基板面と略平行な所定方向となるように該状態表示用ＬＥＤを所定位置に取り付けて形成されるテレビジョン用センサ基板において、
端子が所定位置で予め略垂直に屈曲された状態表示用ＬＥＤと、
上記状態表示用ＬＥＤの電流制限抵抗を構成する第一のアキシアル抵抗および第二のアキシアル抵抗と、
上記状態表示用ＬＥＤの点灯を制御する制御信号を送出するマイコンと、
上記マイコンの上記制御信号を該テレビジョン用センサ基板に伝送するケーブルと、
該テレビジョン用センサ基板に形成されて上記第一のアキシアル抵抗のリードが挿入される第一のスルーホール対と、
該テレビジョン用センサ基板において上記第一のスルーホール対から上記状態表示用ＬＥＤの先端レンズ部分の外径以下となる距離をオフセットされた位置に形成され、上記第二のアキシアル抵抗のリードが挿入される第二のスルーホール対と、
上記第一のスルーホール対の成す直線と上記第二のスルーホール対の成す直線の間に、上記第一および第二のスルーホール対と略垂直方向に並べて形成されて上記状態表示用ＬＥＤのリードが挿入される第三のスルーホール対と、
を備えており、
上記第一のアキシアル抵抗および上記第二のアキシアル抵抗のリードが上記第一のスルーホール対と上記第二のスルーホール対とにそれぞれ機械挿入により挿入された後、
上記状態表示用ＬＥＤが、左右方向の位置を上記２個のアキシアル抵抗によりそれぞれ規定されるとともに、該状態表示用ＬＥＤのリードが手挿入にて上記第三のスルーホール対に挿入されることにより上下方向の位置を規定され、所定位置に所定方向を向いて配置され、
上記第一および第二のアキシアル抵抗と上記状態表示用ＬＥＤとが半田ディップにより固定されることを特徴とするテレビジョン用センサ基板。
【請求項２】
ＬＥＤの発光方向がプリント基板面と略平行な所定方向となるように該ＬＥＤを該プリント基板の所定位置に取り付けるＬＥＤ取付構造において、
上記プリント基板は、上記ＬＥＤ以外に、複数の端子を有する２以上の複数の素子が実装されて構成されており、
上記複数の素子のうち２つの素子が、上記ＬＥＤの先端レンズ部分の外径以下の間隔を空けてオフセットして配置され、
上記先端レンズ部分を上記２つの素子の間に配置しつつ上記ＬＥＤのリードをスルーホールに挿入することにより上記ＬＥＤが所定位置に所定方向を向いて配置されることを特徴とするＬＥＤ取付構造。
【請求項３】
上記２つの素子が機械挿入により上記プリント基板に搭載されてから、上記ＬＥＤが手挿入により上記プリント基板に搭載され、その後、半田ディップにより上記２つの素子と上記ＬＥＤとが上記プリント基板に固定されることを特徴とする上記請求項２に記載のＬＥＤ取付構造。
【請求項４】
上記２つの素子は、上記ＬＥＤの電流制限抵抗を構成するアキシアル抵抗であり、上記発光方向とリード線延出方向を略一致させて配置されることを特徴とする上記請求項２または請求項３に記載のＬＥＤ取付構造。
【請求項５】
上記２つの素子は、ダイオードであり、上記発光方向とリード線延出方向を略一致させて配置されることを特徴とする上記請求項２または請求項３に記載のＬＥＤ取付構造。
【請求項６】
上記２つの素子は、コンデンサであり、上記発光方向とリード線延出方向を略一致させて配置されることを特徴とする上記請求項２または請求項３に記載のＬＥＤ取付構造。
【発明の詳細な説明】
【技術分野】
【０００１】
本発明は、テレビジョン用センサ基板およびＬＥＤ取付構造に関する。
【背景技術】
【０００２】
ＬＥＤの発光には指向性がある。従って、プリント基板等に取り付けられるＬＥＤを特定方向に向かって発光させたい場合は、先端レンズ部分をその特定方向に配向させて取り付ける必要がある。しかしながら、ＬＥＤの端子を略垂直に屈曲させてから基板に取り付ける場合、先端レンズ部分の配向方向がずれやすく、所望の方向に配向させて取り付けることが難しかった。
【０００３】
このようにＬＥＤを基板面に平行な方向に発光させたい場合には、別ピースのプラスチックホルダー等によって先端レンズ部分の位置規制をして取り付けることが一般的であった（例えば特許文献１、４等）。また、ＬＥＤの端子を挿入する穴を有するスペーサを用意し、該スペーサに曲げ位置を規制する構造を設けることにより、ＬＥＤを基板に固定した後に所定の曲げ位置でＬＥＤを所望の方向に屈曲させる技術も知られている（例えば特許文献２等。）。さらに基板側端にＬＥＤの先端レンズ部分の形状に合わせた切り欠きを設けて、この切り欠きに先端レンズ部分を係合させて固定する技術も知られている（例えば特許文献３等）。
【特許文献１】特開２００３−６９０７９号公報
【特許文献２】実開昭５９−３６２６６号公報
【特許文献３】実開昭５７−１４６３６３号公報
【特許文献４】実開平２−１３７０５６号公報
【発明の開示】
【発明が解決しようとする課題】
【０００４】
上述した特許文献２、４記載の技術では別ピースで固定用の部材を追加する必要があり、材料費が高くなるという問題があった。また特許文献１記載の技術では、ピンを使用するため材料費は押さえられるが、このようなピンは手挿入で実装する必要があるため、基板作成の工程と作業量を増加することになっていた。また、特許文献３の切り欠きによる位置決めでは、ＬＥＤは側端部にしか配置できず、基板レイアウトの自由度を低下させていた。
【０００５】
本発明は、上記課題に鑑みてなされたもので、別ピースの部材の追加や、基板レイアウトの自由度の低下、基板作成の工程増加等のコストアップ要因を抑えつつ、ＬＥＤの先端レンズ部分を所望の方向に配向させることが可能なテレビジョン用センサ基板およびＬＥＤ取付構造の提供を目的とする。
【課題を解決するための手段】
【０００６】
上記課題を解決するために、本発明のＬＥＤ取付構造では、ＬＥＤの発光方向がプリント基板面と略平行な所定方向となるように該ＬＥＤを該プリント基板の所定位置に取り付けるＬＥＤ取付構造において、上記プリント基板は、上記ＬＥＤ以外に、複数の端子を有する２以上の複数の素子が実装されて構成されており、上記複数の素子のうち２つの素子が、上記ＬＥＤの先端レンズ部分の外径以下の間隔を空けてオフセットして配置され、上記先端レンズ部分を上記２つの素子の間に配置することにより上記ＬＥＤが所定位置に所定方向を向いて配置されることを特徴とする。
【０００７】
即ち、２以上の複数の素子が実装されて成るプリント基板にＬＥＤを取り付ける際、上記複数の素子のうち２つの素子を選択して上記ＬＥＤの先端レンズ部分の外径以下の間隔を空けてオフセットして配置する。そして上記先端レンズ部分を上記２つの素子の間に配置することにより、上記ＬＥＤを所定位置に所定方向を向いて配置する。
【０００８】
ここで２つの素子は、抵抗やコンデンサやダイオード等のようにリードが２本有り、上記ＬＥＤの先端レンズ部分の左右に配置されたときに先端レンズ部分が基板上で側方回転しにくくなる素子であればいかなるものであっても採用可能である。また、ＬＥＤの発光方向とは、ＬＥＤの発光ダイオードチップにおける光射出面に略垂直な方向を意味する。
【０００９】
よって、ＬＥＤをプリント基板に装着する際に、所望の装着方向に比して曲がったり歪んだりしなくなり、２つの素子とＬＥＤのリードとにより、ＬＥＤの発光方向を所望の方向に向けることが可能となる。
【００１０】
また、上記２つの素子が機械挿入により上記プリント基板に搭載されてから、上記ＬＥＤが手挿入により上記プリント基板に搭載され、その後、半田ディップにより上記２つの素子と上記ＬＥＤとが上記プリント基板に固定される構成に本発明を適用するとさらに好適である。即ち、予め機械挿入により２つの素子が上記プリント基板に搭載されているため、後から手挿入により挿入されるＬＥＤを上記プリント基板上に戴置しやすくなる。このとき２つの素子は機械実装可能な素子が選択され、自動的に基板上に搭載されているので、手挿入する作業者は、上記ＬＥＤの取り付け方向を格段意識することなく、上記ＬＥＤの端子をプリント基板上のスルーホールに挿入しつつ２つの素子の間に先端レンズ部分を戴置するのみで手挿入が完了する。
【００１１】
さらに、上記２つの素子は、上記ＬＥＤの電流制限抵抗を構成するアキシアル抵抗であり、上記発光方向とリード線延出方向を略一致させて配置される構成とするとさらに好適である。ここで、アキシアル抵抗とは、本体が細長い形状をしており、両端から金属線のリード線が接続された抵抗である。即ち、電流制限抵抗はＬＥＤを点灯する上で必要不可欠なものであり、回路上接続される関係にあるためＬＥＤの近くに存在する。従って回路設計が容易となる。また、リード線延出方向を発光方向と一致させるとは、即ち上記先端レンズ部分の側面と電流制限抵抗とがそれぞれ線で接するため、より先端レンズ部分の位置を所定位置、所定方向に制限しやすい。
【００１２】
無論、上記２つの素子は、ダイオードやコンデンサであってもよく、上記発光方向とリード線延出方向を略一致させて配置される構成としてもよい。これらダイオードやコンデンサはどの回路でも使用されやすいため、回路内で実際に素子として機能しているものと兼用しやすく、２つの素子として電流制限抵抗を使用する場合に次いで回路設計が容易である。
【００１３】
そして、より具体的な構成例として、テレビジョンの状態表示用ＬＥＤの発光方向が、基板面と略平行な所定方向となるように該状態表示用ＬＥＤを所定位置に取り付けて形成されるテレビジョン用センサ基板において、端子が所定位置で予め略垂直に屈曲された状態表示用ＬＥＤと、上記状態表示用ＬＥＤの電流制限抵抗を構成する第一のアキシアル抵抗および第二のアキシアル抵抗と、上記状態表示用ＬＥＤの点灯を制御する制御信号を送出するマイコンと、上記マイコンの上記制御信号を該テレビジョン用センサ基板に伝送するケーブルと、該テレビジョン用センサ基板に形成されて上記第一のアキシアル抵抗のリードが挿入される第一のスルーホール対と、該テレビジョン用センサ基板において上記第一のスルーホール対から上記状態表示用ＬＥＤの先端レンズ部分の外径以下となる距離をオフセットされた位置に形成され、上記第二のアキシアル抵抗のリードが挿入される第二のスルーホール対と、上記第一のスルーホール対の成す直線と上記第二のスルーホール対の成す直線の間に、上記第一および第二のスルーホール対と略垂直方向に並べて形成されて上記状態表示用ＬＥＤのリードが挿入される第三のスルーホール対と、を備えており、上記第一のアキシアル抵抗および上記第二のアキシアル抵抗のリードが上記第一のスルーホール対と上記第二のスルーホール対とにそれぞれ機械挿入により挿入された後、上記状態表示用ＬＥＤが、左右方向の位置を上記２個のアキシアル抵抗によりそれぞれ規定されるとともに、該状態表示用ＬＥＤのリードが手挿入にて上記第三のスルーホール対に挿入されることにより上下方向の位置を規定され、所定位置に所定方向を向いて配置され、上記第一および第二のアキシアル抵抗と上記状態表示用ＬＥＤとが半田ディップにより固定される構成としてある。
【発明の効果】
【００１４】
以上説明したように本発明によれば、ＬＥＤの発光方向を所望の方向に向けることが可能なＬＥＤ取付構造を提供することができる。
また請求項３にかかる発明によれば、よりＬＥＤを上記プリント基板上に戴置しやすくなる。
そして請求項４にかかる発明によれば、より先端レンズ部分の位置を所定位置、所定方向に制限しやすく、回路設計が容易となる。
さらに請求項５、６にかかる発明によれば、回路内で実際に素子として機能しているものと兼用しやすく、回路設計が容易となる。
さらに請求項１のような、より具体的な構成において、上述した請求項２〜請求項４の各発明と同様の作用を奏することはいうまでもない。
【発明を実施するための最良の形態】
【００１５】
以下、下記の順序に従って本発明の実施形態を説明する。
（１）テレビジョンの構成：
（２）センサ基板の構造：
（３）センサ基板の変形例：
（４）まとめ：
【００１６】
（１）テレビジョンの構成： 
以下、本発明を液晶テレビジョンに適用した例について図１〜図２を参照して具体的に説明する。図１は液晶テレビジョン１００の斜視図、図２は液晶テレビジョン１００の概略構成を示すブロック図である。なお、本実施形態では液晶テレビジョンを例にとって説明するが、この実施形態に限定されるものではなく、センサ基板を備える電気電子機器であればプラズマテレビジョンやＣＲＴテレビジョンはもちろん、プロジェクタやＰＣ用ディスプレイ等、本発明の要旨を逸脱しない範囲で種々の変形実施の形態が可能である。
【００１７】
液晶テレビジョン１００は、概略、チューナ１０と、映像信号処理部１２と、音声信号処理部１６と、マイコン２０と、液晶パネル１４と、スピーカ１８と、リモコン受信部２２と、液晶テレビジョン１００の状態を表示するＬＥＤ２４と、を含んで構成される。
【００１８】
液晶テレビジョン１００は、樹脂製のキャビネットＡの内部に、これらチューナ１０と映像信号処理部１２と音声信号処理部１６とマイコン２０と液晶パネル１４とスピーカ１８とリモコン受信部２２とＬＥＤ２４とを収容している。キャビネットＡには矩形穴が形成されており、この矩形穴から液晶パネル１４の映像を画面に表示する平坦な表示面を前面に向けて露見させている。キャビネットＡにおいて、この画面の下に当たる部分には、赤外線信号を受信する赤外線受光素子２２ａが液晶テレビジョン１００の前面から照射される赤外線を受光可能に配置されている。また赤外線受光素子２２ａと並べてＬＥＤ２４も液晶テレビジョン１００の前面からこのＬＥＤ２４の発光を視認可能に配置されている。
【００１９】
チューナ１０は、テレビ放送信号の入力源としてＵ／Ｖアンテナを接続可能であり、マイコン２０の制御に従ってテレビ放送帯域に対応した所望周波数の信号に同調しつつ受信するとともに、受信した信号から所要の信号だけを選択して高周波増幅し、中間周波信号に変換して出力する。チューナ１０が受信するテレビ放送信号は、地上波アナログ、地上波デジタル、ケーブルテレビ放送、衛星放送等、いかなるテレビ放送形式であってもよく、これらの組合せを受信可能なものであってもよい。
【００２０】
映像信号処理部１２は、チューナ１０が出力した中間周波信号から映像信号を抽出し、抽出した映像信号にスケーリング処理や各種画質調整処理を施した後、映像信号に対応するパネル駆動信号を生成して液晶パネル１４に出力する。液晶パネル１４は入力されるパネル駆動信号に基づいて表示画素を駆動することにより画面に映像を表示する。音声信号処理部１６は、チューナ１０が出力した中間周波信号から音声信号を抽出し、抽出した音声信号に所定の増幅を行ってスピーカ１８に出力する。  
【００２１】
マイコン２０は、内蔵するＣＰＵとＲＯＭとＲＡＭとからなるプログラム実行環境を備えており、ＲＯＭに格納された各種プログラムをＲＡＭをワークエリアとしつつＣＰＵにて演算を行って液晶テレビジョン１００全体の制御を行う。リモコン受信部２２は、赤外線受光素子２２ａを備えており、赤外線受光素子２２ａが赤外線信号を受光すると対応する電圧信号を生成してマイコン２０に出力する。マイコン２０は、ＣＰＵの制御によりリモコン受信部から電圧信号を受け取って対応するキー操作を検知すると、リモコン２８からの操作入力を受け付けてリモコン２８の操作に対応するプログラムを実行する。
【００２２】
また、マイコン２０には複数のＬＥＤが接続されており、液晶テレビジョン１００の状態に応じてこれらのＬＥＤを点灯／消灯させる。例えば、液晶テレビジョン１００は状態表示用のＬＥＤ２４を備え、液晶テレビジョン１００がオンの時にはＬＥＤ２４を消灯させ、液晶テレビジョン１００がスタンバイの時にはＬＥＤ２４を点灯させる。無論、オンのときに点灯するＬＥＤとスタンバイ時に点灯するＬＥＤとを別個に設けても構わない。また、マイコン２０がＬＥＤの点灯／消灯を制御する構成以外にも、電源回路やその他の回路にＬＥＤを組み込んで回路が所定の状態になると点灯／消灯する構成や、液晶テレビジョン１００の状態に応じて点灯／消灯が切り換わる構成様々な構成等、様々な構成が採用可能である。
【００２３】
リモコン２８は操作を受け付ける複数のキーと、赤外線信号をリモコン受信部に向けて送信するリモコン信号送信部とを有し、複数のキーの操作に応じたリモコン信号を所定のフォーマットで送出する。例えば、リモコン２８を用いて所望のチャンネルを受信させるべく操作すると、リモコン信号送信部から対応するリモコン信号が送出される。そして、マイコン２０がリモコン受信部２２を介してリモコン信号に対応する電圧信号を受信し、対応するチャンネルを受信させるように周波数データをチューナ１０に送出する。
【００２４】
これらの液晶テレビジョン１００の構成のうち、チューナ１０と映像信号処理部１２と音声信号処理部１６とマイコン２０とは後述するメイン基板４０上に形成され、リモコン受信部２２とＬＥＤ２４とは後述するセンサ基板５０上に形成される。
【００２５】
（２）センサ基板の構成： 
以下、図３〜図５を参照してセンサ基板の構成について説明する。図３は液晶テレビジョン１００をセンサ基板５０のＬＥＤ２４の位置で上下に切断して示した断面図、図４はセンサ基板の斜視図、図５はＬＥＤを点灯制御する回路図、である。
【００２６】
液晶テレビジョン１００では、図３のように、液晶パネル１４の背面にスペーサを介して所定の距離を保ちつつメイン基板４０が取り付けられる。また、キャビネットＡ内部の前面側下部にはセンサ基板５０が取り付けられる。このセンサ基板５０は、ＬＥＤ２４の発光方向と赤外線受光素子２２ａの受光方向とがキャビネットＡの内面に垂直になるように取り付けられる。ＬＥＤ２４の発光方向と赤外線受光素子２２ａ受光方向は、センサ基板５０の基板面と平行になっているので、キャビネットＡの内側前面に対して基板が垂直になるよう取り付けられる。
【００２７】
具体的には、キャビネットＡの内側前面には垂直にネジボスＢが形成されており、このネジボスＢに沿ってセンサ基板５０を配置し、ネジボスＢにネジ止めされるネジＳのネジ頭とキャビネットＡの内側前面とでセンサ基板５０を押圧固定する。また、このセンサ基板５０とメイン基板４０とはケーブルＣにより互いに接続されており、このケーブルＣはセンサ基板５０からメイン基板４０に赤外線受光信号を伝送するとともに、メイン基板４０からセンサ基板５０にＬＥＤの点灯制御信号が送出される。
【００２８】
次に図４、５を参照してセンサ基板の構造を詳述する。
センサ基板５０は裏面側にパターンが形成されており、表面側にＬＥＤ２４や赤外線受光素子２２ａ等のピン挿入方式の部品が実装され、裏面側にチップ抵抗やチップコンデンサ等の表面実装方式の部品が実装される。従来においては、ＬＥＤ２４の電流制限抵抗や赤外線受光素子用の抵抗はセンサ基板５０裏面に表面実装されていた。本実施形態においては、これらの裏面に実装されていたチップ抵抗のうち何れか２つをリード付のアキシアル抵抗と置き換え、このアキシアル抵抗を表面からピン挿入方式で実装する。ここで、本発明がＬＥＤ取付構造であってＬＥＤが必須構成要素であることから、アキシアル抵抗を使用する抵抗としてＬＥＤの電流制限抵抗を採用した例について以下に説明する。
【００２９】
図４のように、センサ基板５０の表面には、ＬＥＤ２４と、赤外線受光素子２２ａと、アキシアル抵抗である抵抗５０ｂおよび５０ｃと、ケーブルＣが接続されるコネクタ５０ａとが実装される。また、センサ基板５０には、概略スルーホール５０ｇ、５０ｈ、５０ｉ、５０ｊ、５０ｋ、５０ｌ、がそれぞれ形成される。この抵抗５０ｂと抵抗５０ｃとがＬＥＤ２４の電流制限抵抗を構成する。
【００３０】
この電流制限抵抗は、１つの抵抗で実現しても構わないが、２つの抵抗で実現すると、後述するＬＥＤ２４の両側に配置する抵抗をＬＥＤの点灯制御を行う回路のみで実現できるので好適である。またスルーホール５０ｇ，５０ｈが第三のスルーホール対を構成し、スルーホール５０，５０ｊとスルーホール５０ｋ，５０ｌが、第一のスルーホール対と第二のスルーホール対に対応する。第一のスルーホール対は、スルーホール５０，５０ｊとスルーホール５０ｋ，５０ｌの何れであってもよく、第二のスルーホール対は第一のスルーホール対に対応しない方に対応する。また、抵抗５０ｂ、５０ｃにおいては、第一のスルーホール対もしくは第二のスルーホール対の成す直線がリード線延出方向と一致する。
【００３１】
この電流制限抵抗は、図５のように、互いに直列に接続されており、一端がハイレベルの電圧ラインに接続されるとともに他端がＬＥＤ２４のアノードに接続される。またスイッチングトランジスタＱは、エミッタが接地されつつコレクタがＬＥＤ２４のカソードに接続され、ベースから入力されるマイコン２０のオン／オフ信号によりコレクタ−エミッタ間の通電が制御されている。つまり、マイコン２０からオン信号が入力されるとスイッチングトランジスタＱがオンしてＬＥＤ２４が通電して発光し、マイコン２０からオフ信号が入力されるとスイッチングトランジスタＱがオフしてＬＥＤ２４には通電でせず発光もしない。
【００３２】
センサ基板５０には、スルーホール５０，５０ｊと、スルーホール５０ｋ，５０ｌと、が、ＬＥＤ２４の先端レンズ部分２４ａの外径以下となる距離をオフセットされた位置に形成される。また、スルーホール５０ｇ，５０ｈが、スルーホール５０，５０ｊの成す直線と、スルーホール５０ｋ，５０ｌの成す直線の間に、これらの直線に略垂直方向に並べて形成される。
【００３３】
また、センサ基板５０は、略長方形形状であり、その一方の短辺に沿ってコネクタ５０ａが配置され、その一方の長辺に沿ってＬＥＤ２４と赤外線受光素子２２ａとが配置される。ＬＥＤ２４は発光方向をこの長辺に対して垂直になるように配置され、赤外線受光素子２２ａは受光方向をこの長辺に対して垂直になるように配置される。抵抗５０ｂと抵抗５０ｃは、ＬＥＤ２４が配置される位置の両側に、両抵抗の長軸が互いに平行、かつ両抵抗の間隔がＬＥＤ２４の先端レンズ部分２４ａの外径以下になるようにオフセットして配置される。
【００３４】
このセンサ基板５０には、ＬＥＤ２４と赤外線受光素子２２ａが配置される側とは異なる側の長辺に、先端部分に凹みを有する突起５０ｅ，５０ｆが形成される。センサ基板５０をキャビネットＡにネジ止め固定する際に係合して、センサ基板５０のキャビネットＡに対する固定力を増す。なお、ネジボスＢはセンサ基板５０の裏面側に位置することになる。
【００３５】
次に、センサ基板５０に各素子を取り付ける工程について説明する。
この素子を取り付ける工程は、大別して、裏面の表面実装工程と、表面のピン挿入による実装工程とに分かれる。
裏面の表面実装工程では、チップ抵抗やチップコンデンサ等の実装する面と同じ側の面に半田付けを行う素子を実装する。まず裏面を上に向けて各パッドにクリーム半田印刷機によりペースト状のクリーム半田を印刷し、このパッド上に表面実装されるチップ素子をチップマウンタにより搭載する。そして、センサ基板５０をリフロー炉リフローすることによりチップ素子がセンサ基板５０の裏面に取り付け固定される。
【００３６】
次に表面のピン挿入による実装工程では、アキシアル抵抗等の端子をスルーホールに挿入して実装する面の裏面にて半田付けする素子を搭載する。まず表面を上に向けて、スルーホール５０ｉ，５０ｊに抵抗５０ｂのリードを挿入し、スルーホール５０ｋ，５０ｌに抵抗５０ｃのリードを挿入する。これら抵抗ｋ５０ｂ、５０ｃは、自動マウンタによって機械実装により搭載される。その後、機械実装不可能な部品の端子を手挿入で搭載する。具体的には、スルーホール５０ｇ，５０ｈにＬＥＤ２４のリードを挿入し、赤外線受光素子２２ａおよびコネクタ５０ａの端子を対応するスルーホールに挿入する。このときＬＥＤ２４の各リードは所定位置で予め略垂直に屈曲されており、各リードがスルーホール５０ｇ，５０ｈに挿入されると、先端レンズ部分２４ａの発光方向がセンサ基板５０の基板面と自然に平行になる。
【００３７】
このようにＬＥＤ２４を手挿入にて搭載する以前に、機械実装によって抵抗５０ｂ、５０ｃが長軸をＬＥＤ２４の発光させたい方向に一致するように予め搭載されている。従って、これら抵抗５０ｂと抵抗５０ｃの間にＬＥＤ２４の先端レンズ部分２４ａが位置するように手挿入することにより、先端レンズ部分２４ａが所望の発光方向を向いて戴置されることになる。つまり、ＬＥＤ２４は右側面の位置を抵抗５０ｃにより規定され、左側面の位置を抵抗５０ｂにより規定され、リード２４ｂ、２４ｃにより後端部を規定されるため、少なくとも３点支持されて戴置位置がほぼ一意に決定される。即ち、抵抗５０ｂ、５０ｃはＬＥＤ２４の位置決めと、戴置される方向決めとして機能することになる。
【００３８】
そして、機械挿入および手挿入されたピン挿入方式の素子を基板上に配置した上で、溶融半田にセンサ基板５０の裏面を接触通過させて半田付けする。このとき、表面実装工程で実装した素子が脱落しないように、表面実装工程で使用する半田の溶融温度Ｔ１とピン挿入による実装工程で使用する半田の溶融温度Ｔ２を、Ｔ１＞Ｔ２とする。
【００３９】
（３）センサ基板の変形例： 
ところで、ＬＥＤ２４の位置決めおよび戴置される方向決めとしては、ＬＥＤ２４の電流制限抵抗である抵抗５０ｂ、５０ｃに限るものではなく、コンデンサやダイオード等のように端子が２本有り、ＬＥＤ２４の先端レンズ部分２４ａの左右に配置されたときに先端レンズ部分２４ａが基板上で側方回転しにくくなり、かつ機械実装可能な素子であればいかなるものであっても採用可能である。無論、赤外線受光素子２２ａ用の抵抗をアキシアル抵抗として使用しても良い。
【００４０】
以下、ＬＥＤ２４の位置決めおよび戴置される方向決めとして電解コンデンサ７０ａ、７０ｂを使用する例について図６を参照して説明する。
【００４１】
センサ基板５０の形状および、コネクタ５０ａ、赤外線受光素子２２ａの配置については上述した実施形態と同様である。また、センサ基板５０に各素子を取り付ける工程も、抵抗５０ｂ、５０ｃの代わりに電解コンデンサ７０ａ、７０ｂを取り付ければよい。
【００４２】
ここで、電解コンデンサ７０ａ、７０ｂは、一般にＬＥＤ２４の先端レンズ部分２４ａの半径よりも長い高さを有する。そのため、電解コンデンサ７０ａと電解コンデンサ７０ｂの間隔は、先端レンズ部分２４ａの外径と同じかやや大きい間隔で配置されなければならない。ここで、やや大きいとは、電解コンデンサ７０ａ、７０ｂの間に先端レンズ部分２４ａが位置したときにこの先端レンズ部分２４ａが側方回転をしないような幅を意味する。即ち、電解コンデンサ７０ａ、７０ｂは、ＬＥＤ２４が配置される位置の両側に、両電解コンデンサの間隔がＬＥＤ２４の先端レンズ部分２４ａの外径と同じがやや大きい間隔になるように配置される。
【００４３】
即ち、電解コンデンサ７０ａ、７０ｂは、ＬＥＤ２４がセンサ基板５０上に搭載されてから半田ディップされるまで、電解コンデンサ７０ａ、７０ｂの間に配置される先端レンズ部分２４ａが側方回転しないように保持する役割を有する。
【００４４】
（４）まとめ： 
つまり、センサ基板５０にＬＥＤ２４を取り付ける際、電流制限抵抗である抵抗５０ｂ、５０ｃを、ＬＥＤ２４の先端レンズ部分２４ａの外径以下の間隔を空けてオフセットして配置する。そして先端レンズ部分２４ａを抵抗５０ｂ、５０ｃの間に配置することにより、ＬＥＤ２４を所定位置に所定方向を向かせて配置する。これによりＬＥＤの先端レンズ部分を所望の方向に配向させることが可能になる。
【００４５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４６】
【図１】液晶テレビジョンの斜視図である。
【図２】液晶テレビジョンの概略構成を示すブロック図である。
【図３】液晶テレビジョンをセンサ基板のＬＥＤの位置で上下に切断して示した断面図である。
【図４】センサ基板の斜視図である。
【図５】ＬＥＤを点灯制御する回路図である。
【図６】センサ基板の変形例の斜視図である。
【符号の説明】
【００４７】
１００…液晶テレビジョン
１０…チューナ
１２…映像信号処理回路
１４…液晶パネル
１６…音声信号処理部
１８…スピーカ
２０…マイコン
２２…リモコン受信部
２２ａ…赤外線受光素子
２４…状態表示用ＬＥＤ
２４ａ…先端レンズ部分
２４ｂ…リード
２４ｃ…リード
２８…リモコン
４０…メイン基板
５０…センサ基板
５０ａ…コネクタ
５０ｂ、５０ｃ…抵抗（アキシアル抵抗）
５０ｅ、５０ｆ…突起
５０ｇ、５０ｈ、５０ｉ、５０ｊ、５０ｋ、５０ｌ…スルーホール
７０ａ、７０ｂ…電解コンデンサ
Ａ…キャビネット
Ｂ…ネジボス
Ｃ…ケーブル
Ｓ…ネジ
Ｑ…スイッチングトランジスタ
【図１】
2008112860.tif 000003
【図２】
2008112860.tif 000004
【図３】
2008112860.tif 000005
【図４】
2008112860.tif 000006
【図５】
2008112860.tif 000007
【図６】
2008112860.tif 000008